(57)【要約】【課題】プラントにおける時系列データの全体傾向を示すトレンドグラフにおける注目すべきデータの範囲の値変動をわかりやすくすることを目的とする。【解決手段】プラントのデータを時系列で収集し蓄積する時系列格納部と、選択手段５の指定された表示周期で時系列格納部の時系列データを取得するデータ取得手段６及び取得した時系列データを全体傾向を示すトレンドグラフとして表示する表示手段７とを備え、さらに、トレンドグラフの中で、注目すべきデータの範囲を選択する選択手段９と、選択範囲から表示周期を計算する表示周期計算手段１０と、選択範囲の時系列データを計算された表示周期でデータ取得手段６から選別して表示手段７に入力する詳細傾向表示部を備えるようにする。【選択図】図１
2009139993.tif 000002
【特許請求の範囲】
【請求項１】
プラントの時系列データを格納する時系列データ格納部と、上記時系列データの全体傾向を示すトレンドグラフを表示するトレンドグラフ表示部と、上記トレンドグラフの中の注目すべきデータの詳細を表示する詳細傾向表示部とを備え、
上記時系列データ格納部は、プラントのデータを収集するデータ収集手段と、上記プラントのデータを時系列に蓄積する蓄積手段と、上記蓄積手段のデータを格納する時系列データベースとを備え、
上記トレンドグラフ表示部は、入力手段と、上記入力手段により指定された表示信号及び表示周期を取得する選択手段と、上記選択手段からの指定された表示周期で時系列データを上記時系列データベースから取得するデータ取得手段と、上記データ取得手段のデータを取得して上記トレンドグラフを表示するエリアのサイズに従って表示する表示手段とを備え、
上記詳細傾向表示部は、上記注目すべきデータの範囲を上記トレンドグラフから選択する選択手段と、上記注目すべきデータを表示するエリアのサイズに従って表示周期を計算する表示周期計算手段と、上記計算された表示周期で注目すべきデータのみを選別して上記表示手段に入力する選別手段とを備えたことを特徴とするプラント監視装置。
【請求項２】
上記詳細傾向表示部の選択手段は、上記注目すべきデータの範囲を拡大及び縮小する機能を備えたことを特徴とする請求項１に記載のプラント監視装置。
【請求項３】
上記注目すべきデータを表示する別ウィンドウを表示するウインドウ表示手段と、上記別ウィンドウのサイズに合わせて、上記注目すべきデータの大きさを変更するデータ表示手段を設けたことを特徴とする請求項１に記載のプラント監視装置。
【請求項４】
上記選別手段が選別する上記注目すべきデータの範囲を、表示周期毎に移動する移動手段を設けたことを特徴とする請求項１に記載のプラント監視装置。
【請求項５】
上記詳細傾向表示部に、上記注目すべきデータを、時刻とセットで数値表示する一覧表示手段を設けたことを特徴とする請求項１に記載のプラント監視装置。
【請求項６】
上記詳細傾向表示部に、上記注目すべきデータを保存する外部記憶装置を設けたことを特徴とする請求項１に記載のプラント監視装置。
【発明の詳細な説明】
【技術分野】
【０００１】
この発明は、公共向けプラントにおける機器や計器のデータを時系列データとして収集し、トレンドグラフ表示を行う機能を有するプラント監視装置に関するものである。
【背景技術】
【０００２】
従来のトレンドデータ表示装置においては、予め定めた初期表示期間の計測データまたは統計値を表示し、この計測データまたは統計値に基づいて時間指定を行って第２の時間レイヤの計測データまたは統計値を表示する（例えば、特許文献１参照）。
【０００３】
【特許文献１】特開平６−７６０７９８号公報（第５頁、第４図）
【発明の開示】
【発明が解決しようとする課題】
【０００４】
従来のトレンドデータ表示装置は、上記特許文献１のように構成されており、縦軸（値）の範囲指定ができないため、第２の時間レイヤの計測データまたは統計値の表示を行った際、注目すべきデータの値変動がわかり難い問題があった。
【０００５】
この発明は上記のような課題を解決するためになされたものであり、プラントにおける時系列データの全体傾向を示すトレンドグラフにおける注目すべきデータの範囲の値変動をわかりやすくすることを目的とする。
【課題を解決するための手段】
【０００６】
この発明に係るプラント監視装置は、プラントの時系列データを格納する時系列データ格納部と、上記時系列データの全体傾向を示すトレンドグラフを表示するトレンドグラフ表示部と、上記トレンドグラフの中の注目すべきデータの詳細を表示する詳細傾向表示部とを備え、
上記時系列データ格納部は、プラントのデータを収集するデータ収集手段と、上記プラントのデータを時系列に蓄積する蓄積手段と、上記蓄積手段のデータを格納する時系列データベースとを備え、
上記トレンドグラフ表示部は、入力手段と、上記入力手段により指定された表示信号及び表示周期を取得する選択手段と、上記選択手段からの指定された表示周期で時系列データを上記時系列データベースから取得するデータ取得手段と、上記データ取得手段のデータを取得して上記トレンドグラフを表示するエリアのサイズに従って表示する表示手段とを備え、
上記詳細傾向表示部は、上記注目すべきデータの範囲を上記トレンドグラフから選択する選択手段と、上記注目すべきデータを表示するエリアのサイズに従って表示周期を計算する表示周期計算手段と、上記計算された表示周期で注目すべきデータのみを選別して上記表示手段に入力する選別手段とを備えたものである。
【発明の効果】
【０００７】
この発明に係るプラント監視装置によれば、プラントにおける時系列データの全体傾向を示すトレンドグラフにおける注目すべきデータの範囲の値変動をわかりやすくすることができる。
【発明を実施するための最良の形態】
【０００８】
実施の形態１．
図１は、この発明に係るプラント監視装置の実施の形態１を示すブロック図である。
図１に示したように、プラントの時系列データを格納する時系列データ格納部と、上記時系列データの全体傾向を示すトレンドグラフを表示するトレンドグラフ表示部と、上記トレンドグラフの注目すべきデータの詳細を表示する詳細傾向表示部とを備える。
【０００９】
上記時系列データ格納部は、プラントのデータを収集するデータ収集手段１と、データ収集手段１のデータを時系列に蓄積する蓄積手段２と、蓄積手段２のデータを格納する時系列データベース３とを備える。
【００１０】
また、トレンドグラフ表示部は、マウス、ＣＲＴタッチ等の入力手段４と、入力手段４により指定された表示信号及び表示周期を選択する選択手段５と、上記指定された表示周期の時系列データを時系列データベース３から取得するデータ取得手段６と、データ取得手段６のデータを取得してトレンドグラフを表示するエリアのサイズに従って表示する表示手段７と、表示装置（ＣＲＴ）８を備える。
【００１１】
本発明の特徴は、さらに、注目すべきデータの詳細傾向表示部を備える点であり、注目すべきデータの範囲をトレンドグラフから選択する選択手段９と、注目すべきデータを表示するエリアのサイズに従って表示周期を計算する表示周期計算手段１０と、注目すべきデータのみを選別して表示手段７に入力する選別手段１１とを備え、これらを備えたことで、注目すべきデータの詳細傾向表示を可能にする。
【００１２】
次に、図１に基づき動作について説明する。
プラントのデータを収集するデータ収集手段１とプラントのデータを時系列に蓄積する蓄積手段２により、時系列データベース３に、最小の表示周期（例えば、５秒）にてデータを時系列に蓄積する。
【００１３】
入力手段４より指定された表示信号及び表示周期が選択手段５によりデータ取得手段６に入力されると、データ取得手段６により時系列データベース３から該当信号のデータを指定された周期で取得する。取得したデータは、表示手段７により表示するエリアのサイズに従って編集され、編集されたデータは全体傾向を示すトレンドグラフとしてＣＲＴ８に表示される。
【００１４】
図２は、全体傾向を表すトレンドグラフ（ａ）及び詳細傾向表示（ｂ）の表示例である。
この発明では時系列データベース３への時系列データの格納及び全体傾向を示すトレンドグラフの表示に加え、注目すべき範囲（期間と縦軸の範囲）の詳細傾向表示を行う。
【００１５】
図２の全体傾向を表すトレンドグラフ（ａ）の表示上にてマウスやＣＲＴタッチにより、注目すべき範囲をドラッグ等で２点選択することにより、選択手段９は選択した注目すべき範囲を取り込む。表示する周期を計算する表示周期計算手段１０は、選択手段９からのデータにより表示周期を計算する。
【００１６】
図３は、表示する周期を計算する手段１０における処理手順を示すフローチャートである。図３に示したように、表示周期を最小の表示周期に設定する（Ｓ１）。次に、注目すべき範囲の期間と設定した表示周期との比が表示点数（グラフに表示する最大表示ドット数）より小さいかどうかを判断し（Ｓ２）、大きい場合（ＮＯ）は設定した表示周期を倍に上げる（Ｓ３）。注目すべき範囲の期間と設定した表示周期との比が表示点数より小さくなれば（ＹＥＳ）ストップし、計算した表示周期を時系列データを取得するデータ取得手段６に入力する（Ｓ４）。
【００１７】
選別手段１１は、データ取得手段６から取得したデータの選別を行い注目すべき範囲に表示されているデータのみを表示周期計算手段１０で計算された表示周期で選別して取得し、表示手段７により表示エリアのサイズに従って取得したデータに編集されてＣＲＴ８に、図２の詳細傾向表示（ｂ）のように表示される。
【００１８】
この実施の形態１によれば、プラントにおける時系列データの全体傾向を示すトレンドグラフにおける注目すべき範囲のデータの値変動をわかりやすくすることができる。
【００１９】
実施の形態２．
図４は、この発明の実施の形態２を説明するためのグラフである。
上記実施の形態１では、注目すべきデータの範囲を全体傾向を表すトレンドグラフの表示上にてマウスやＣＲＴタッチにより２点選択するようにした。この実施の形態２では、図４（ａ）に示した破線のように、選択手段９はマウスポインタを中心にマウスホイールの上下移動により注目すべきデータの範囲の拡大及び縮小を行う機能を有する。
【００２０】
この実施の形態２によれば、図４（ｂ）に示した注目すべきデータの詳細傾向表示を見ながら、注目すべきデータの範囲の微調整が行えるため、データ把握がよりスムーズに行える。
【００２１】
なお、この実施の形態において、マウスホイールを用いる例を示したが、それ以外を用いてもよい。
【００２２】
実施の形態３．
図５は、この発明に係るプラント監視装置の実施の形態３を示すブロック図である。図５に示したように、この実施の形態３では、ウィンドウを表示するウインドウ表示手段１２及び、取得したデータをウィンドウサイズに合わせて表示するデータ表示手段１３を追加して、注目すべきデータの詳細傾向表示を別ウィンドウに表示する。
【００２３】
この実施の形態３によれば、全体傾向を表すトレンドグラフの表示はより大きく表示することができ、注目すべきデータの傾向表示の大きさも自由に変更することができるため、対象のデータ種別に応じた表示が行える。
【００２４】
実施の形態４．
図６は、この発明に係るプラント監視装置の実施の形態４を示すブロック図である。図６に示したように、選別手段１１で選別する注目すべきデータの範囲を表示周期毎に移動する移動手段１４を備え、移動手段１４は注目すべきデータの範囲を表示周期毎に最新時刻方向に置き換える。
【００２５】
この実施の形態４によれば、注目すべきデータの表示が最新時刻方向へ移動し、常に最新のデータを表示することができる。
【００２６】
実施の形態５．
図７は、この発明に係るプラント監視装置の実施の形態５を示すブロック図である。この実施の形態５では、図７に示したように、選別手段１１からデータを取得し、取得したデータを一覧表示する一覧表示手段１５を設け、注目すべきデータの詳細傾向表示に表示しているグラフのデータを時刻とセットで数値表示する。
【００２７】
この実施の形態５によれば、注目すべきデータの具体的な値を知る事ができ、プラントの状況把握ができる。
【００２８】
実施の形態６．
図８は、この発明に係るプラント監視装置の実施の形態６を示すブロック図である。この実施の形態６では、図８に示したように、表示手段７の表示するデータをＨＤＤ等の外部記憶装置にイメージデータとして保存する保存手段１６を設け、注目すべきデータを表示しているグラフのイメージをＨＤＤ等の外部記憶装置１７に保存する。
【００２９】
この実施の形態６によれば、注目すべきデータの詳細傾向グラフを報告書等に転用することができる。
【産業上の利用可能性】
【００３０】
この発明は、公共向けプラント等における機器や計器のデータを時系列データとして収集し、トレンドグラフ表示を行う機能を有するプラント監視装置に有効に利用することができる。
【図面の簡単な説明】
【００３１】
【図１】この発明に係るプラント監視装置の実施の形態１を示すブロック図である。
【図２】全体傾向を表すトレンドグラフ（ａ）及び詳細傾向表示（ｂ）の表示例である。
【図３】表示する周期を計算する手段における処理手順を示すフローチャートである。
【図４】この発明に係るプラント監視装置の実施の形態３を示すブロック図である。
【図５】この発明に係るプラント監視装置の実施の形態４を示すブロック図である。
【図６】この発明に係るプラント監視装置の実施の形態４を示すブロック図である。
【図７】この発明に係るプラント監視装置の実施の形態５を示すブロック図である。
【図８】この発明に係るプラント監視装置の実施の形態６を示すブロック図である。
【符号の説明】
【００３２】
１  データ収集手段、２  蓄積手段、３  時系列データベース、５  選択手段、
６  データ取得手段、７  表示手段、８  表示装置（ＣＲＴ）、９  選択手段、
１０  表示周期計算手段、１１  選別手段、１２  ウィンドウ表示手段、
１３  データ表示手段、１４  移動手段、１５  一覧表示手段、１６  保存手段、
１７  外部記憶装置。
【図１】
2009139993.tif 000003
【図２】
2009139993.tif 000004
【図３】
2009139993.tif 000005
【図４】
2009139993.tif 000006
【図５】
2009139993.tif 000007
【図６】
2009139993.tif 000008
【図７】
2009139993.tif 000009
【図８】
2009139993.tif 000010